(57)【要約】【課題】吊下部に天井扇風機本体が正しく吊下げられているかを容易に確認することができることを目的とする。【解決手段】天井８に固定される吊下部２を介して吊下げられる天井扇風機本体３は、複数の羽根５と、モータ部４と、モータ部４の上部に突出したシャフト６と、シャフト６の上部に固定され吊下部２に接続されるジョイント部７と、ジョイント部７から吊下部にまたがって設けられた吊下検知部９とを有し、ジョイント部７は吊下部２に着脱可能であり、吊下部２は、ジョイント部７を可動自在に装着できるお椀形状であると共にシャフト６が通ることができる切欠き部分１１を有し、吊下部２にジョイント部７を装着後に、切欠き部分１１をシャフト６が通れないように塞ぐ吊下部２に着脱可能な落下防止部１３を備え、吊下検知部９は、モータ部４と電気的に接続し、吊下部２にジョイント部７を装着後に落下防止部を装着することにより導通状態となる。【選択図】図３
2015175270.tif 000002
【特許請求の範囲】
【請求項１】
天井に固定される吊下部と、前記吊下部を介して吊下げられる天井扇風機本体とを備え、前記天井扇風機本体は水平方向に設けた複数の羽根と、前記羽根を回転させるモータ部と、前記モータ部の上部に突出したシャフトと、前記シャフトの上部に固定され前記吊下部に接続されるジョイント部と、前記ジョイント部から前記吊下部にまたがって設けられた吊下検知部とを有し、前記ジョイント部は前記吊下部に着脱可能であり、前記吊下部は、前記ジョイント部を可動自在に装着できるお椀形状であると共に前記シャフトが通ることができる切欠き部分を有し、前記吊下部に前記ジョイント部を装着後に、前記切欠き部分を前記シャフトが通れないように塞ぐ前記吊下部に着脱可能な落下防止部を備え、前記吊下検知部は、前記モータと電気的に接続し、前記吊下部に前記ジョイント部を装着後に落下防止部を装着することにより導通状態となることを特徴とする天井扇風機。
【請求項２】
前記吊下検知部は、前記吊下部に設けた電源入切部と、前記ジョイント部に上下方向に回動自在に設けた押当部とを有し、前記落下防止部は、前記吊下部に固定する落下防止固定部分と、前記押当部と接触する落下防止接触部分とを有し、前記吊下部に前記ジョイント部を装着後に落下防止部を装着することにより、前記落下防止接触部分によって前記押当部が押し下げられ、前記電源入切部と接触し前記電源入切部が通電状態となることを特徴とする請求項１に記載の天井扇風機。
【請求項３】
前記吊下検知部は前記吊下部に設けた突起部と、前記ジョイント部に設けた溝部とを有し、前記ジョイント部は半球形状の表面に前記溝部を備え、前記吊下部は前記溝部に挿入可能な板形状の前記突起部とが設けられ、前記溝部に前記突起部が挿入されると共に、前記吊下部に前記ジョイント部を装着後に落下防止部を装着することにより前記押当部が前記電源入切部と接触し前記電源入切部が通電状態となり、前記突起部と前記溝部との間に隙間を備え、前記ジョイント部が水平方向回転時に前記溝部の内面と前記ジョイント部の外周面とが交わる角部が前記突起部の端面に接触し前記突起部が削れるかまたは折れることにより前記押当部が前記電源入切部と離れ、前記電源入切部が非通電状態になることを特徴とする請求項２に記載の天井扇風機。
【発明の詳細な説明】
【技術分野】
【０００１】
本発明は、天井扇風機に関する。
【背景技術】
【０００２】
従来の天井扇風機では天井扇風機本体の落下防止のため、ワイヤにより天井扇風機の取付金具（吊下部）を固定する方法が提案されていた（例えば、特許文献１）。
【先行技術文献】
【特許文献】
【０００３】
【特許文献１】特開平６−８８５９６号公報
【発明の概要】
【発明が解決しようとする課題】
【０００４】
従来の天井扇風機は、吊下部に天井扇風機本体が正しく吊下げられているかを容易に確認することが困難であった。
【０００５】
すなわち天井扇風機の取り付け現場において、天井に吊下部を固定し、この吊下部に天井扇風機本体を吊下げる。ここで、天井扇風機本体が、吊下部に正しく吊下げられているかを確認するのは、目視により行なわれていた。つまり、現場によっては天井扇風機の取り付け位置が高く、暗い場合には吊下部に天井扇風機本体が正しく吊下げられているかを見誤る場合があった。また、天井扇風機本体が正しく吊り下げられているかの確認を忘れる場合があった。
【課題を解決するための手段】
【０００６】
そして、この目的を達成するために、本発明は、天井に固定される吊下部と、前記吊下部を介して吊下げられる天井扇風機本体とを備え、前記天井扇風機本体は水平方向に設けた複数の羽根部と、前記羽根部を回転させるモータ部と、前記モータ部の上部に突出したシャフト部と、前記シャフト部の上部に固定され前記吊下部に接続されるジョイント部と、前記ジョイント部から前記吊下部にまたがって設けられた吊下検知部とを有し、前記ジョイント部は前記吊下部に着脱可能であり、前記吊下部は、前記ジョイント部を可動自在に装着できるお椀形状であると共に前記シャフトが通ることができる切欠き部を有し、前記吊下部に前記ジョイント部を装着後に、前記切欠き部を前記シャフトが通れないように塞ぐ前記吊下部に着脱可能な落下防止部を備え、前記吊下検知部は、前記モータ部と電気的に接続し、前記吊下部に前記ジョイント部を装着後に落下防止部を装着することにより通電状態となることを特徴としたものであり、これにより所期の目的を達成するものである。
【発明の効果】
【０００７】
本発明によれば、天井に固定される吊下部と、前記吊下部を介して吊下げられる天井扇風機本体とを備え、前記天井扇風機本体は水平方向に設けた複数の羽根部と、前記羽根部を回転させるモータ部と、前記モータ部の上部に突出したシャフト部と、前記シャフト部の上部に固定され前記吊下部に接続されるジョイント部と、前記ジョイント部から前記吊下部にまたがって設けられた吊下検知部とを有し、前記ジョイント部は前記吊下部に着脱可能であり、前記吊下部は、前記ジョイント部を可動自在に装着できるお椀形状であると共に前記シャフトが通ることができる切欠き部を有し、前記吊下部に前記ジョイント部を装着後に、前記切欠き部を前記シャフトが通れないように塞ぐ前記吊下部に着脱可能な落下防止部を備え、前記吊下検知部は、前記モータ部と電気的に接続し、前記吊下部に前記ジョイント部を装着後に落下防止部を装着することにより通電状態となることを特徴としたことにより、吊下部に天井扇風機本体が正しく吊下げられているかを容易に確認することができる。
【０００８】
すなわち、吊下部にジョイント部を装着後に、切欠き部をシャフトが通れないように塞ぐ吊下部に着脱可能な落下防止部を備え、吊下検知部は、モータ部と電気的に接続し、吊下部にジョイント部を装着後に落下防止部を装着することにより通電状態となるので、天井に吊下部を固定し、この吊下部に天井扇風機本体を吊下げ、試運転を行なう。吊下検知部により、天井扇風機が回転すれば正しく設置され、回転しないと正しく設置されていないことが容易にわかるものである。
【図面の簡単な説明】
【０００９】
【図１】本発明の実施の形態の天井扇風機の概略図
【図２】同天井扇風機の吊下部および天井扇風機本体の詳細図
【図３】同天井扇風機の吊下部とジョイント部との分解斜視図
【図４】同天井扇風機の吊下部の一部斜視図
【図５】同天井扇風機の吊下部の一部斜視図
【発明を実施するための形態】
【００１０】
以下、本発明の実施の形態の天井扇風機を、添付図面を用いて説明する。
【００１１】
（実施の形態）
図１は本発明の実施の形態の天井扇風機の概略図、図２は同天井扇風機の吊下部および天井扇風機本体の詳細図である。図３は同天井扇風機の吊下部とジョイント部７との分解斜視図である。
【００１２】
図１、図２、および図３に示すように天井扇風機１は、天井８に固定される吊下部２と、吊下部２を介して吊下げられる天井扇風機本体３とから構成されている。
【００１３】
天井扇風機本体３は、モータ部４と、モータ部４の周縁部の水平方向に設けた複数の羽根５と、モータ部４の上部に突出したシャフト６と、シャフト６の上部に固定され吊下部２に接続されるジョイント部７とから構成されている。ジョイント部７は、吊下部２に着脱可能である。またモータ部４は、複数の羽根５を回転させる。
【００１４】
ジョイント部７から吊下部２にまたがって、吊下検知部９が設けられている。吊下検知部９は、モータ部４と電気的に接続されている。
【００１５】
吊下部２は、ジョイント保持部分１０と、切欠き部分１１と、突起部分１２とを備えている。ジョイント保持部分１０は、略お椀形状で、ジョイント部７を可動自在に保持する。吊下部２には、シャフト６が通ることができる切欠き部分１１と、切欠き部分１１の内方へ突出した板形状の突起部分１２とが設けられている。
【００１６】
天井扇風機１の施工方法は、まず天井８に吊下部２を固定し、次に天井扇風機本体３のジョイント部７を吊下部２に装着する。天井扇風機１は、モータ部４が回転することにより、羽根５が回転し、空気を送風する。
【００１７】
本実施形態における特徴は、吊下部２にジョイント部７を装着後に、切欠き部分１１をシャフトが通れないように塞ぐ吊下部２に着脱可能な落下防止部１３を備えている点である。これにより、吊下部２にジョイント部７を装着後に落下防止部１３を装着することにより、吊下検知部９が、通電状態となる。
【００１８】
すなわち、吊下部２にジョイント部７を装着後に、切欠き部分１１をシャフト６が通れないように塞ぐ吊下部２に着脱可能な落下防止部１３を備え、吊下検知部９は、モータ部４と電気的に接続し、吊下部２にジョイント部７を装着後に落下防止部１３を装着することにより通電状態となるので、天井８に吊下部２を固定し、この吊下部２に天井扇風機本体３を吊下げ、試運転を行なうと、吊下検知部９により、天井扇風機１が回転すれば正しく設置され、回転しないと正しく設置されていないことが容易にわかるものである。
【００１９】
具体的には、吊下検知部９は、吊下部２に設けた電源入切部１４と、ジョイント部７に上下方向に回動自在に設けた押当部１５とを有している。
【００２０】
電源入切部１４は、ジョイント保持部分１０に上下方向に固定されている。また電源入切部１４は、押当部１５に押されることにより導通される。さらに電源入切部１４は、接点を内蔵した略円柱形状の電源入切本体部分１６と、電源入切本体部分１６から上方へ伸びた略円柱形状の出没自在な電源入切突出部分１７とから形成されている。
【００２１】
押当部１５は、ジョイント部７に固定できる押当固定部分１８と、上下に回動可能な押当接触部分１９とを備えている。
【００２２】
押当固定部分１８は、水平面を有する平板形状で、ねじ２０によりジョイント部７に固定可能な、孔２１を備えている。この孔２１を介して、ねじ２０をジョイント部のねじ孔２２に締め付け固定することにより、押当部１５をジョイント部７に固定できるものである。
【００２３】
押当接触部分１９は、押当固定部分１８の端部から伸びた略平板形状で、上下方向に回動自在に設けられている。押当部１５は、樹脂材料で形成され、押当固定部分１８と押当接触部分１９とは、ヒンジで連結されている。
【００２４】
落下防止部１３は、吊下部２に固定する落下防止固定部分２３と、押当部１５と接触する落下防止接触部分２４とを有している。
【００２５】
落下防止固定部分２３は、垂直面を有する平板形状で、ねじ２５によってジョイント保持部分１０に固定可能な、孔２６を備えている。この孔２６を介して、ねじ２５をジョイント保持部分１０のねじ孔２７に締め付け固定することにより、落下防止部１３をジョイント保持部分１０に固定できるものである。
【００２６】
落下防止接触部分２４は、落下防止固定部分２３の上端部から水平方向に伸びたＴ字形の平板である。落下防止部１３は、金属材料形成され、板金を折り曲げて作成したものである。
【００２７】
図４は同天井扇風機の吊下部の一部斜視図で、落下防止部１３を取り付ける前の状態である。図５は同天井扇風機の吊下部の一部斜視図で、落下防止部１３を取り付けた状態である。
【００２８】
図３から図５に示すように、以上の構成で、吊下部２にジョイント部７を装着後に落下防止部１３を装着することにより、落下防止接触部分２４によって押当部１５の押当接触部分１９が押し下げられ、それに伴い、電源入切部１４の電源入切突出部分１７も押し下げられ、電源入切部１４が通電状態となる。つまり、電源入切突出部分１７が電源入切本体部分１６内の所定の位置まで押し込まれることにより、電源入切本体部分１６に内蔵した接点、すなわち電源入切部１４が導通され、電源入切部１４が通電状態となる。電源入切部１４の１例はプッシュオンスイッチである。
【００２９】
また、吊下検知部９は、吊下部２に設けた突起部分１２と、ジョイント部７に設けた溝部２８とを有している。ジョイント部７は、半球形状の表面に溝部２８を備え、吊下部２は、溝部２８に挿入可能な板形状の突起部分１２を設けている。
【００３０】
ここで、溝部２８に、突起部分１２が入らずに天井扇風機本体３が吊下げられた場合は、吊下部２にジョイント部７を装着後に落下防止部１３を装着することができないので、正しく設置されていないことが容易にわかるものである。
【００３１】
また、溝部２８に、突起部分１２を挿入し天井扇風機本体３が吊下げられた場合は、溝部２８に突起部分１２が挿入されると共に、吊下部２にジョイント部７を装着後に落下防止部１３を装着することにより、押当部１５が電源入切部１４と接触し、電源入切部１４が通電状態となる。この状態で、試運転を行い、吊下検知部９により、天井扇風機１が回転すれば正しく設置されていることが容易にわかるものである。
【００３２】
更に、突起部分１２と溝部２８との間には、隙間を備えているので、羽根５が不正規な状態に取り付けられたまま天井扇風機が運転されている場合、押当部１５が電源入切部１４と離れ、電源入切部１４が非通電状態になり、天井扇風機本体が停止するものである。
【００３３】
具体的には、羽根５に外力が加わり、羽根５が変形した場合には、ジョイント部７が水平方向回転時に溝部２８の内面とジョイント部７の外周面とが交わる角部が突起部分１２の端面に接触する。すなわち、天井扇風機本体の揺動が発生すると、その揺動によって角部が突起部分１２の端面の一点と擦れ合う。そして、突起部分１２の上下移動距離分、角部が自らを磨耗しながら、突起部分１２の端面を磨耗する。なお、落下防止接触部分２４は、電源入切突出部分１７には接触しない、つまり届かない構成である。
【００３４】
これにより、突起部分１２が削れるかまたは折れることにより、押当部１５が、ジョイント部７と共に、羽根５の回転方向と逆方向に回転し、電源入切部１４と離れる。すなわち、押当接触部分１９が電源入切突出部分１７と離れ、電源入切部１４が非通電状態になる。結果として、天井扇風機１の運転中に不正規な運転が生じたとき、天井扇風機本体３が停止するものである。
【産業上の利用可能性】
【００３５】
本発明によれば、天井に固定される吊下部と、前記吊下部を介して吊下げられる天井扇風機本体とを備え、前記天井扇風機本体は水平方向に設けた複数の羽根部と、前記羽根部を回転させるモータ部と、前記モータ部の上部に突出したシャフト部と、前記シャフト部の上部に固定され前記吊下部に接続されるジョイント部と、前記ジョイント部から前記吊下部にまたがって設けられた吊下検知部とを有し、前記ジョイント部は前記吊下部に着脱可能であり、前記吊下部は、前記ジョイント部を可動自在に装着できるお椀形状であると共に前記シャフトが通ることができる切欠き部を有し、前記吊下部に前記ジョイント部を装着後に、前記切欠き部を前記シャフトが通れないように塞ぐ前記吊下部に着脱可能な落下防止部を備え、前記吊下検知部は、前記モータ部と電気的に接続し、前記吊下部に前記ジョイント部を装着後に落下防止部を装着することにより通電状態となることを特徴としたことにより、吊下部に天井扇風機本体が正しく吊下げられているかを容易に確認することができる。
【００３６】
すなわち、吊下部にジョイント部を装着後に、切欠き部をシャフトが通れないように塞ぐ吊下部に着脱可能な落下防止部を備え、吊下検知部は、モータ部と電気的に接続し、吊下部にジョイント部を装着後に落下防止部を装着することにより通電状態となるので、天井に吊下部を固定し、この吊下部に天井扇風機本体を吊下げ、試運転を行なう。吊下検知部により、天井扇風機が回転すれば正しく設置され、回転しないと正しく設置されていないことが容易にわかるものである。
【００３７】
したがって、家庭用や事務所用などの、天井扇風機として活用が期待されるものである。
【符号の説明】
【００３８】
１      天井扇風機
２      吊下部
３      天井扇風機本体
４      モータ部
５      羽根
６      シャフト
７      ジョイント部
８      天井
９      吊下検知部
１０      ジョイント保持部分
１１      切欠き部分
１２      突起部分
１３      落下防止部
１４      電源入切部
１５      押当部
１６      電源入切本体部分
１７      電源入切突出部分
１８      押当固定部分
１９      押当接触部分
２０      ねじ
２１      孔
２２      ねじ孔
２３      落下防止固定部分
２４      落下防止接触部分
２５      ねじ
２６      孔
２７      ねじ孔
２８      溝部
【図１】
2015175270.tif 000003
【図２】
2015175270.tif 000004
【図３】
2015175270.tif 000005
【図４】
2015175270.tif 000006
【図５】
2015175270.tif 000007